(57)【特許請求の範囲】
【請求項１】
上下方向へ長い身頃と、前記身頃の両側部から横方向外方へ延びる両袖とを備えた使い捨ての手術用外衣において、
前記身頃および前記両袖は疎水性繊維不織布で形成され、
前記身頃が、前記両袖を有して身頃上部を画成する上身頃と、前記上身頃の下方に位置して身頃下部を画成する下身頃とから形成され、前記両袖が、前記上身頃の両側部に継ぎ目が形成されることなく一連につながっており、
前記両袖の下方を胴周り方向へ延びる前記上身頃の下端部が前記下身頃の胴周り方向へ延びる上端部の外側に重なり、前記下端部の外面と前記上端部の内面とが水密に固着されてそれら上下身頃が一体となり、かつ、前記上身頃の下端部近傍から横方向外方へ延びる前記両袖の袖下が水密に固着されているとともに、
前記上身頃と前記下身頃との背側には、胴周り方向へ分割された上下方向へ延びる背明きが形成され、
前記下身頃の胴周り方向の寸法が、前記両袖を除いた前記上身頃の胴周り方向の寸法よりも大きく、前記下身頃の背側が、前記背明きにおいて胴周り方向へ重なり合っていることを特徴とする前記手術用外衣。
【発明の詳細な説明】
【０００１】
【発明の属する技術分野】
本発明は、使い捨ての手術用外衣に関する。
【０００２】
【従来の技術】
特開２０００−１７００１１号公報は、襟刳りと裾とを有する上下方向へ長い身頃と、身頃の袖刳りに取り付けられて横方向外方へ延びる両袖とを備えた使い捨て外衣を開示している。この外衣は、繊維不織布からなる前身頃および後身頃と両袖との各部材から形成されている。身頃では、後身頃に上下方向へ延びる背明きが形成され、後身頃が胴周り方向へ分割されている。前身頃と後身頃とは、それら身頃の肩部と両側部とが固着されている。前後身頃と両袖とは、それら身頃の袖刳り周縁部と両袖の袖付け周縁部とが固着されている。この外衣は、主に医師や看護婦等の着用者が手術時に着用する手術用外衣として使用される。
【０００３】
【発明が解決しようとする課題】
同号公報に開示の外衣では、前後身頃の袖刳り周縁部と両袖の袖付け周縁部とを外衣の内側へ向かって折り曲げた状態でそれら周縁部を固着しているので、外衣の両肩部に袖刳り周りへ延びる溝状の継目が形成される。この外衣では、その着用中に前身頃上部に多量の血液が付着すると、それが継目を伝わって前身頃から後身頃の側へまわり込み、後身頃に流動した血液が後身頃の背明きから着用者の下着や肌に付着してしまう場合がある。
【０００４】
本発明の課題は、付着した血液が背側へまわり込むことがなく、血液の背側への流動を防ぐことができる使い捨ての手術用外衣を提供することにある。
【０００５】
【課題を解決するための手段】
前記課題を解決するための本発明は、上下方向へ長い身頃と、前記身頃の両側部から横方向外方へ延びる両袖とを備えた使い捨ての手術用外衣を改良することにある。
【０００６】
改良にかかる本発明の特徴としては、前記身頃および前記両袖は疎水性繊維不織布で形成され、前記身頃が、前記両袖を有して身頃上部を画成する上身頃と、前記上身頃の下方に位置して身頃下部を画成する下身頃とから形成され、前記両袖が、前記上身頃の両側部に継ぎ目が形成されることなく一連につながっており、前記両袖の下方を胴周り方向へ延びる前記上身頃の下端部が前記下身頃の胴周り方向へ延びる上端部の外側に重なり、前記下端部の外面と前記上端部の内面とが水密に固着されてそれら上下身頃が一体となり、かつ、前記上身頃の下端部近傍から横方向外方へ延びる前記両袖の袖下が水密に固着されているとともに、前記上身頃と前記下身頃との背側には、胴周り方向へ分割された上下方向へ延びる背明きが形成され、前記下身頃の胴周り方向の寸法が、前記両袖を除いた前記上身頃の胴周り方向の寸法よりも大きく、前記下身頃の背側が、前記背明きにおいて胴周り方向へ重なり合っていることにある。
【０００９】
【発明の実施の形態】
添付の図面を参照し、本発明に係る使い捨ての手術用外衣の詳細を説明すると、以下のとおりである。
【００１０】
図１，２は、前方から見た手術用外衣１の斜視図と、後方から見た手術用外衣１の斜視図とであり、図３，４は、外衣１の分解斜視図と、図２のＡ−Ａ線断面図とである。図１，２では、横方向を矢印Ｘ、上下方向を矢印Ｙ、胴周り方向を矢印Ｚで示す。なお、上身頃３や下身頃４、両袖６における内面とは、着用者の肌に対向する面をいい、それらの外面とは、着用者の肌に非対向の面をいう。外衣１は、医師や看護婦等の着用者が手術時に着用し、使用後に廃棄される。
【００１１】
外衣１は、上下方向へ長い身頃２と、身頃２の両側部５から横方向外方へ延びる両袖６とを備えている。身頃２は、両袖６を有して身頃上部を画成する上身頃３と、上身頃３の下方に位置して身頃下部を画成する下身頃４とから形成されている。
【００１２】
上身頃３は、両肩７および両肩７の間に位置する襟刳り８と、両袖６の下方を胴周り方向へ延びる下端部９とを有する。上身頃３では、その両側部５に両袖６が一連につながっている。両袖６は、上身頃３の両側部５から袖口１０へ向い先細りの筒状を呈する。上身頃３の背側には、上下に延びる背明き１２が形成され、背側が胴周り方向へ分割されている。
【００１３】
下身頃４は、胴周り方向へ延びる上端部１１と裾１３とを有する。下身頃４の胴周り方向の寸法Ｌ１は、両袖６を除いた上身頃３の胴周り方向の寸法Ｌ２よりも大きい。下身頃４の背側には、上下に延びる背明き１４が形成され、背側が胴周り方向へ分割されている。下身頃４では、その背側が背明き１４において胴周り方向へ重なり合っている。
【００１４】
下身頃４の背側には、背明き１４の閉じ合わせを保持するためのフック部材１５とループ部材１６とが取り付けられている。フック部材１５は、背明き１４近傍における下身頃４の内面に取り付けられている。ループ部材１６は、背明き１４近傍における下身頃４の外面に取り付けられている。
【００１５】
外衣１では、上身頃３の下端部９が下身頃４の上端部１１の外側に重なり、下端部９と上端部１１とが水密に固着されて上下身頃３，４が一体となっている。外衣１では、それら身頃３，４の下端部９と上端部１１とにおいて、上身頃３の内面が下身頃４の外面に重なっている。外衣１では、上身頃３の下端部９から横方向外方へ延びる両袖６の袖下１７の内面が合掌状に重なり合い、両袖６が袖下１７において水密に固着されている。
【００１６】
外衣１を着用するには、身頃２の背側を胴周り方向へ開いて着用者がその両腕を外衣１の両袖６に通した後、身頃２の背側を閉じ、下身頃４の背側を重ね合わせてフック部材１５とループ部材１６とを係合させる。
【００１７】
外衣１では、両袖６が上身頃３の両側部５に一連につながっているので、身頃２の両側部周りに従来技術のような溝状の継目が形成されることはなく、外衣１の着用中に上身頃３に多量の血液が付着したとしても、それが継目を伝って身頃２の背側へまわり込むことがない。
【００１８】
外衣１では、上身頃３の下端部９を下身頃４の上端部１１の内側に重ね、下端部９と上端部１１とを固着すると、上端部１１の縁が上身頃３の外面の側に位置する。この場合では、外衣１の着用中に上身頃３に付着した血液の下身頃４への円滑な流動が上端部１１の縁に妨げられるとともに、血液が上端部１１の縁を伝わって胴周り方向へ流れ、それが上下身頃３，４の背側へまわり込んでしまう場合がある。
【００１９】
この外衣１では、上身頃３の下端部９を下身頃４の上端部１１の外側に重ねてそれら端部９，１１を固着しているので、上端部９の縁が上身頃３の内面の側に位置している。ゆえに、この外衣１では、上身頃３から下身頃４への血液の円滑な流動が上端部９の縁に妨げられることはなく、血液が上身頃３から下身頃４へ向かって流れ落ち、それが身頃３，４の背側へまわり込むことはない。
【００２０】
図５は、他の実施の形態を示す後方から見た手術用外衣１の斜視図である。この外衣１が図１のそれと異なる点は、以下のとおりである。外衣１では、上身頃３と下身頃４との背側に胴周り方向へ所与寸法離間する背明き１４が形成されている。身頃２の背側には、上下方向へ長い矩形の可撓性のシート部材１８が取り付けられ、上身頃３と下身頃４との背明き１４を覆っている。
【００２１】
身頃２の背側では、シート部材１８の一側縁部１９が上身頃３と下身頃４との外面に固着されている。シート部材１８の他側縁部２０の内面には、フック部材１５が取り付けられている。背明き１４近傍における下身頃４の内面には、ループ部材１６が取り付けられている。
【００２２】
それら外衣１では、下身頃４の胴周り方向の寸法Ｌ１を上身頃３の胴周り方向のそれにかかわらず自由に設定することができるので、下身頃４の背側の背明き１３における重ね合わせ寸法を大きくしたり小さくしたりすることができる。
【００２３】
それら外衣１とシート部材１８とには、熱可塑性合成樹脂繊維からなる疎水性繊維不織布、疎水性繊維不織布を重ね合わせた２層の不織布、または、可撓性かつ通気不透液性の熱可塑性合成樹脂フィルムを疎水性繊維不織布で挟んだ複合シートを使用することができる。
【００２４】
不織布としては、スパンレース、ニードルパンチ、メルトブローン、サーマルボンド、スパンポンド、ケミカルボンド等の各製法により製造されたものを使用することができる。不織布には、高い耐水性を有するメルトブローン不織布を高い強度を有しかつ柔軟性に富んだスパンボンド不織布で挟んだ複合不織布を使用することもできる。
【００２５】
不織布の構成繊維としては、ポリオレフィン系、ポリエステル系、ポリアミド系、の各繊維、ポリエチレン／ポリプロピレンやポリエチレン／ポリエステルからなる芯鞘型複合繊維またはサイドバイサイド型複合繊維を使用することができる。不織布には、開繊パルプやレーヨン、アセテート等のセルロース系繊維が混合されていてもよい。
【００２６】
合成樹脂フィルムとしては、ポリエチレン、ポリプロピレン、ポリエチレンテレフタレート、ポリエステル等から形成されたプラスチックフィルムを使用することができる。
【００２７】
上身頃３の下端部９と下身頃４の上端部１１との固着、上下身頃３，４に対するシート部材１８の固着、両袖６の袖下１７の固着、フック部材１５やループ部材１６の取り付けには、ホットメルト接着剤、または、ヒートシールや超音波接合等の熱による固定手段を利用することができる。
【００２８】
外衣１は、着用者の体型を考慮してあらかじめＳ、Ｍ、Ｌ、ＬＬ等のサイズのものが用意され、滅菌袋に収納された後、エチレンオキシド等の有機気化薬品による滅菌処理、または、電子線や放射線による滅菌処理が行われる。
【００２９】
【発明の効果】
本発明に係る使い捨ての手術用外衣によれば、それが身頃上部を画成する上身頃と身頃下部を画成する下身頃とから構成され、両袖が上身頃の両側部に一連につながっているので、上身頃の両側部周りに継目が形成されることはなく、外衣の着用中に上身頃に多量の血液が付着したとしても、それが継目を伝わって身頃の背側へまわり込むことがない。外衣では、身頃の背側への血液の流動を防ぐことができる
外衣では、上身頃の下端部を下身頃の上端部の外側に重ねてそれら端部を固着しているので、外衣の着用中に上身頃に付着した血液の下身頃への円滑な流動が下身頃の上端部の縁に妨げられることはなく、血液が上身頃から下身頃へ向かって流れ落ち、それが身頃の背側へまわり込むことはない。
【００３０】
外衣では、下身頃の胴周り方向の寸法を上身頃の胴周り方向のそれにかかわらず自由に設定することができ、下身頃の背側の背明きにおける重ね合わせ寸法の調節が可能である。
【図面の簡単な説明】
【図１】    前方から見た手術用外衣の斜視図。
【図２】    後方から見た手術用外衣の斜視図。
【図３】    外衣の分解斜視図。
【図４】    図１のＡ−Ａ線断面図。
【図５】    他の実施の形態を示す後方から見た手術用外衣の斜視図。
【符号の説明】
１              使い捨ての手術用外衣
２              身頃
３              上身頃
４              下身頃
５              両側部
６              両袖
９              下端部
１１              上端部
１２              背明き
１４              背明き
１７              袖下
Ｌ１            寸法
Ｌ２            寸法
【図１】
0003971576.tif 000002
【図２】
0003971576.tif 000003
【図３】
0003971576.tif 000004
【図４】
0003971576.tif 000005
【図５】
0003971576.tif 000006